(57)【要約】本発明は、放射線ビーム（１２）を光記録担体（２０）の記録面上に向けてピット及びランドを形成する光記録担体記録方法に関する。記録すべき各ピットについての放射線ビームは、書込パワー照射期間においてピットの形成可能な少なくとも１つの書込みパワーレベル（ＰＷ）に設定され、ピット間の各ランドについては、ボトムパワー照射期間（５１）においてピットの形成不可能な少なくとも１つのボトムパワーレベル（Ｐ０）に設定される。全体のジッタを増大させずに主チャネルに追加のＬＭＬチャネルのビットを埋め込むため、本発明は、ＬＭＬランドを形成するためにＬＭＬランド照射期間（５５）においてボトムパワーレベル（Ｐ０）が一時的にＬＭＬランドパワーレベル（Ｐｌ１）にまで上昇させられ、このＬＭＬランドパワーレベル（Ｐｌ１）が書込パワーレベル（ＰＷ）に近づけられるようにし、書込パワーレベル（ＰＷ）は、ＬＭＬピットを形成するためにＬＭＬピット照射期間（３５）において一時的にＬＭＬピットパワーレベル（Ｐｐ１）に減少させられ、このＬＭＬピットパワーレベル（Ｐｐ１）がボトムパワーレベル（Ｐ０）に近づけられるようにする。
2005501360.tif 000002
【特許請求の範囲】
【請求項１】
照射ビームを光記録担体の記録面に向けることによりピット及びランドを形成する光記録担体記録方法であって、記録されるべき各ピットに対する照射ビームは、書込パワー照射期間においてピットを形成することの可能な少なくとも１つの書込パワーレベルに設定され、当該ピット間の各ランドに対しては、ボトムパワー照射期間においてピットを形成することの不可能な少なくとも１つのボトムパワーレベルに設定する方法であって、
前記ボトムパワーレベルは、ＬＭＬランドを形成するためにＬＭＬランド照射期間において一時的にＬＭＬランドパワーレベルに引き上げられ、前記ＬＭＬランドパワーレベルは、前記書込パワーレベルに近い値とされ、前記書込パワーレベルは、ＬＭＬピットを形成するためにＬＭＬピット照射期間において一時的にＬＭＬピットパワーレベルに引き下げられ、前記ＬＭＬピットパワーレベルは、前記ボトムパワーレベルに近い値とされる、
方法。
【請求項２】
請求項１に記載の光記録担体記録方法であって、前記ＬＭＬランドパワーレベルは、前記書込パワーレベルの０．７０倍ないし１．３０倍の範囲以内又は０．９０倍ないし１．１倍の範囲以内に設定され、前記ＬＭＬピットパワーレベルは、前記書込パワーレベルの０．０５倍ないし０．５倍の範囲以内又は０．１倍ないし０．４倍の範囲以内に設定される、方法。
【請求項３】
請求項１に記載の光記録担体記録方法であって、前記ＬＭＬピット照射期間は、少なくとも主として書込パワー照射期間の後半に位置づけられる、方法。
【請求項４】
請求項１に記載の光記録担体記録方法であって、前記ＬＭＬランド照射期間は、少なくとも主としてボトムパワー照射期間の前半に位置づけられる、方法。
【請求項５】
請求項１に記載の光記録担体記録方法であって、前記書込パワー照射期間は、前記書込パワー照射期間において一時的にＬＭＬピット補正パワーレベルに引き上げられる、方法。
【請求項６】
請求項５に記載の光記録担体記録方法であって、前記ＬＭＬピット補正パワーレベルは、前記書込パワーレベルの１．０１倍ないし１．３０倍の範囲以内又は１．０１倍ないし１．１０倍の範囲以内に設定される、方法。
【請求項７】
請求項１に記載の光記録担体記録方法であって、前記書込パワー照射期間は、追加の書込パワー照射期間により長くされ、前記書込パワーレベルは、ＬＭＬピット増加パワーレベルに引き下げられ、前記ＬＭＬピット増加パワーレベルは、前記ＬＭＬピットパワーレベルよりも高くされる、方法。
【請求項８】
請求項７に記載の光記録担体記録方法であって、前記ＬＭＬピット増加パワーレベルは、前記書込パワーレベルの０．５０倍ないし０．９５倍の範囲以内又は前記書込パワーレベルの０．８０倍ないし０．９０倍の範囲以内に設定される、方法。
【請求項９】
請求項１に記載の光記録担体記録方法であって、前記ボトムパワー照射期間は、追加のボトムパワー照射期間により長くされ、前記ボトムパワーレベルは、ＬＭＬランド増加パワーレベルに引き上げられ、前記ＬＭＬランド増加パワーレベルは、前記書込パワーレベルよりも低くされる、方法。
【請求項１０】
請求項９に記載の光記録担体記録方法であって、前記ＬＭＬランド増加パワーレベルは、前記書込パワーレベルの０．０３倍ないし０．７０倍の範囲又は０．０３倍ないし０．５０倍の範囲以内に設定される、方法。
【請求項１１】
請求項７又は９に記載の光記録担体記録方法であって、前記追加の書込パワー照射期間及び／又は前記追加のボトムパワー照射期間は、０．２Ｔないし０．７Ｔの時間長又はそれぞれ０．５Ｔ若しくは０．２５Ｔの時間長（Ｔはデータ信号の基準クロックの１周期の時間長を表す）を有する、方法。
【請求項１２】
請求項１に記載の光記録担体記録方法であって、前記ＬＭＬランド照射期間及び／又は前記ＬＭＬピット照射期間は、０．５Ｔないし２Ｔの時間長又は１Ｔないし１．２５Ｔの時間長（Ｔはデータ信号の基準クロックの１周期の時間長を表す）を有する、方法。
【請求項１３】
請求項１に記載の光記録担体記録方法であって、ピットを記録するために前記放射ビームは書込パルスの形態で前記書込パワーレベルに設定され、前記書込パワーレベルを一時的に低下させることによりＬＭＬピットを形成するために少なくとも１つの書込パルスが省かれる、方法。
【請求項１４】
請求項１３に記載の光記録担体記録方法であって、当該残りの書込パルスの書込パワーレベルは増大させられる、方法。
【請求項１５】
光記録担体の記録面に放射ビームを向けることによりピット及びランドの形態でデータを記録する光記録担体記録装置であって、前記放射ビームを供給する放射源と、記録されるべき各ピットについて書込パワー照射期間においてピットを形成することの可能な少なくとも１つの書込パワーレベルに前記放射ビームのパワーが設定され、前記ピット間の各ランドについてはボトムパワー照射期間においてピットを形成することの不可能な少なくとも１つのボトムパワーレベルに前記放射ビームのパワーが設定されるよう前記放射ビームのパワーを制御する制御手段とを有し、
前記制御手段は、前記ボトムパワーレベルがＬＭＬランドを形成するためにＬＭＬランド照射期間においてＬＭＬランドパワーレベルに一時的に引き上げられ、前記ＬＭＬランドパワーレベルは、前記書込パワーレベルに近づけられ、前記書込パワーレベルは、ＬＭＬピットを形成するためにＬＭＬピット照射期間においてＬＭＬピットパワーレベルに一時的に低下させられ、前記ＬＭＬピットパワーレベルは、前記ボトムパワーレベルに近づけられるよう前記放射ビームのパワーを制御することが可能である、装置。
【請求項１６】
請求項１５に記載の光記録担体記録装置であって、前記放射ビームのパワー及び当該パワーレベルの期間及び時間長を制御することによってジッタを測定し最小化するジッタ制御手段をさらに有する、装置。
【発明の詳細な説明】
【技術分野】
【０００１】
本発明は、照射ビームを光記録担体の記録面に向けることによりピット及びランドを形成する光記録担体記録方法であって、記録されるべき各ピットに対する照射ビームは、書込パワー照射期間においてピットを形成することの可能な少なくとも１つの書込パワーレベルに設定され、当該ピット間の各ランドに対しては、ボトムパワー照射期間においてピットを形成することの不可能な少なくとも１つのボトムパワーレベルに設定する方法に関する。本発明はまた、かかる方法を行う対応の光記録担体記録装置に関する。
【背景技術】
【０００２】
このような記録方法は、コンパクトディスクレコーダブル（Compact Disc Recordable：ＣＤ−Ｒ）システム明細書（オレンジブックとしても知られている）から知られている。書込パワー照射期間において光記録担体の記録面に書込パワーレベルを有する放射ビームを照射することにより、ピットが形成される。この書込パワー照射期間の時間的長さは、記録すべきピットの長さによる。ピットの長さはパラメータｎＴによって表される。ここでＴはデータ信号における基準クロックの１周期の時間長を表し、ｎは所定の整数を表す。ＣＤ-Ｒシステムにおいてｎは３から１１の範囲にある。ランドを形成するため、放射ビームは、ボトムパワー照射期間において書込パワーレベルよりも低いボトムパワーレベルに設定される。
【０００３】
主チャネルのビットのストリームに副チャネルのビットのストリームを埋め込む方法は、国際出願公開番号ＷＯ００／５７４１７Ａ１から知られている。そこでは、限定マルチレベル（Limited Multi Level（ＬＭＬ））変調により副チャネルのビットを主チャネルに埋め込んでいる。主チャネルのビットのストリームが反射信号のゼロ交差点においてエンコードされるとともに、副（ＬＭＬ）チャネルのビットは反射の振幅においてエンコードされる。すなわち、ピット及びランドの振幅レベルは、副チャネルのビットをエンコードするために用いられる。
【発明の開示】
【発明が解決しようとする課題】
【０００４】
本発明の目的は、記録可能な光記録担体にＬＭＬ符号化の適用を可能とし、次の基準を満足する光記録担体の記録方法及び対応する装置を提供することである。
【０００５】
・通常のラン長（ランレングス）変調とこれに対応するＬＭＬ等価変調との間で許容できる差が達成されるべきである。すなわち、ランド変調においては３０％の低下であり、ピット変調においては３０％の上昇であることが好ましい。
【０００６】
・高周波信号において見られるような低下した作用の長さが改変しない作用の長さと等しくなるべきである。
【０００７】
好ましくは、先行及び後続する作用に向かう熱的クロストークは、当該改変されていない作用により観察されるようなクロストークに対して維持されるべきである。さらに、ＬＭＬ作用は、全体のジッタを増大させることなく通常の作用と全部交換可能とすることが好ましい。このジッタは、ディジタル化された読取信号におけるレベル遷移とクロック信号における対応の遷移との時間差の標準的偏倚に相当するものであり、この時間差は、当該クロックの１周期の持続期間により正規化される。
【課題を解決するための手段】
【０００８】
この目的は、請求項１に記載の光記録担体記録方法により達成され、これは、  前記ボトムパワーレベルは、ＬＭＬランドを形成するためにＬＭＬランド照射期間において一時的にＬＭＬランドパワーレベルに引き上げられ、前記ＬＭＬランドパワーレベルは、前記書込パワーレベルに近い値とされ、前記書込パワーレベルは、ＬＭＬピットを形成するためにＬＭＬピット照射期間において一時的にＬＭＬピットパワーレベルに引き下げられ、前記ＬＭＬピットパワーレベルは、前記ボトムパワーレベルに近い値とされる、方法とするものである。本発明によれば、光記録担体に記憶された信号の反射の振幅は、ピット及びランドを形成するときに放射ビームのパワーレベルを制御することにより影響を受ける。したがって、反射の異なる振幅を有する「通常の」ピット又はＬＭＬピットを書き込むべきか、又は反射の異なる振幅を有する「通常の」ランド又はＬＭＬランドを書き込むべきかを決めることができる。
【０００９】
本発明によれば、ＬＭＬランドパワーレベル及びＬＭＬピットパワーレベルが最小ジッタのために最適化される。ＬＭＬランドパワーレベルは、「通常の」ランド及びピットに比較して、あまり明るくないランドが書き込まれるように選択されるとともに、ＬＭＬピットパワーレベルは、あまり暗くないピットが書き込まれるように選択される。したがって、ＬＭＬにおいては、アイパターンの包絡線が減少する。ランドについては、比較的に高い反射レベルが低くなり、ピットにおいては、比較的低い反射レベルが高くなる。
【００１０】
前述した書込手法の最適化のために種々のパラメータがある。特に、ボトムパワーレベルの一時的上昇の時間長や、書込パワーレベルの一時的減少時間長、さらにはＬＭＬランドパワー及びＬＭＬピットパワーのレベルは、振幅が十分低下する一方で、クロストークの最も低い上昇が確認されジッタの増加が最小化される、という妥協点を見い出せるように最適化される。ＬＭＬランドパワーレベルは、少なくとも書込みパワーレベルに近づくように制御され、ＬＭＬピットパワーレベルは、少なくともボトムパワーレベルに近づくように好ましくはボトムパワーレベルより高く制御される。かかるパワーレベルの好ましい範囲は、請求項２に記載されている。当該パワーレベルの具体的値は、パワーレベルの一時的下降又は上昇それぞれの持続時間を最適化することによって達成される。
【００１１】
ＬＭＬピットパワーレベルの一時的下降は、書込パワー照射期間の後半又は終点に少しシフトされるのが好ましい。当該一時的下降の箇所の正しい位置付けは、当該変調の対称的下降を持つために必須である。同様に、ＬＭＬランドパワーレベルへの一時的上昇は、ボトムパワー照射期間の少し前寄りに位置付けられるのが好ましい。
【００１２】
熱的クロストークを決める幾つかのピーク温度を確実にするため、書込パワー照射期間において書込パワーレベルを一時的にＬＭＬピット補正パワーレベルに上昇させられ、このＬＭＬピット補正パワーレベルは、好適実施例により書込パワーレベルよりも高いものとされる。ＬＭＬピット補正パワーレベルの効果的範囲は、請求項６に記載されている。
【００１３】
ピット又はランドそれぞれの有効長を制御するため、書込パワー照射期間及び／又はボトムパワー照射期間は、それぞれ請求項７及び９の好適実施例により、追加の書込パワー照射期間又は追加のボトムパワー照射期間によって大きくされる。先行するピットに向かう熱的クロストークは、前述したＬＭＬピット照射期間において書込パワーレベルを一時的にＬＭＬピット補正パワーレベルに上げる場合に特に、大き過ぎるものとなりうる。パルス幅を大きくすることにより、通常のパワーを低くし、隣接ピットへの熱的クロストークを低くすることができる。
【００１４】
ＬＭＬピット増加パワーレベル及びＬＭＬランド増加パワーレベルの好ましい範囲は、請求項８及び１０に記載されている。追加の書込パワー照射期間及び／又は追加のボトムパワー照射期間は、０．２ないし０．７Ｔの時間にするのが好ましく、さらに好ましくはそれぞれ０．５Ｔ，０．２５Ｔとするのがよい。
【００１５】
ＬＭＬランド照射期間及び／又はＬＭＬピット照射期間は、０．５Ｔないし２Ｔの時間長、特に好ましいのは１Ｔから１．２５Ｔのものとするのがよい。かかる期間は、短いものが好ましいが、当該期間が短いほど前述の期間におけるパワーレベルは高いものとなる。一般に、ピット又はランドのラン長が長いほど、ＬＭＬピット照射期間又はＬＭＬランド照射期間をそれぞれ長く選択することができる。
【００１６】
記録可能な光学媒体の代替の書込方法として、ピットを記録するのに照射ビームを書込パルスの形態で書込パワーレベルに設定し、ＬＭＬピットを形成するのに書込パワーレベルの一時的低下により少なくとも１つの書込パルスが省かれるようにしたパルス化方法を用いることができる。好ましくは、その後残りの書込パルスの書込パワーレベルは「通常の」ピットを形成するための書込パルスの通常書込パワーレベルに対して増大される。
【００１７】
本発明はまた、請求項１５に記載されているような光記録担体記録装置に関し、これは放射源と本発明による方法を実行するための制御手段とを有する。好ましくは、この装置も、上述したように放射ビームのパワー並びにパワーレベルの持続期間及び時間長を制御することによりジッタを測定し最小化するためのジッタ制御手段を有するものとするのがよい。
【００１８】
ここでは本発明を一例としてＣＤ-Ｒシステムを用いて説明するが、当業者であれば、別の光学記録システムにも本発明を適用可能であることは明らかである。
【発明を実施するための最良の形態】
【００１９】
以下、図面を参照して本発明を詳しく説明する。
【００２０】
図１は、制限マルチレベル（ＬＭＬ：Limited Multi Level）コーディングの概念を示している。ここで示される反射信号１には、主チャネルのデータストリームがラン長制限（ＲＬＬ：Length Limited）符号を用いてエンコードされ、副チャネル（ＬＭＬチャネル）のデータストリームがＬＭＬコーディングを用いてエンコードされている。ＲＬＬ符号化は、矢印３により示されるようなにスライスレベル２により信号１のゼロ交差点の空間変調を用いる一方、ＬＭＬ符号化は、矢印４により示されるように反射振幅の振幅変調を用いる。ラン長すなわちピット及びランドの長さは、パラメータｎ・Ｔによって表される。ここでＴはデータ信号における基準クロックの１周期の時間長を表し、ｎは所定の整数を表している。ＣＤ-Ｒシステムにおいては、このラン長は３から１１の範囲に制限されている。すなわち３≦ｎ≦１１である。
【００２１】
ＬＭＬ変調は、主として比較的長いラン長、例えばＣＤ-Ｒシステムにおいては５Ｔ以上のラン長に対して導入される。かかる長目のラン長の各ピット及びランドについての反射振幅を制御することにより、当該長目のラン長の各々に追加のビット値を埋め込むことができる。「通常の」ピット５及び「通常の」ランド６は、どちらも通常の反射振幅を有し、ビット値ゼロを有するビットとして解読可能であり、これに対してＬＭＬピット７又はＬＭＬランド８は、どちらも反射振幅が小さくされており、ビット値１を有するビットとして解読可能であり、この逆も可能である。
【００２２】
振幅を小さくすることは、ラン長の中間の領域において実現するのが好ましい。短いラン長に対しては、その小さい中間領域は当該ラン長の前縁及び後縁に近いものとされる。チャネルのインパルス応答は、当該前縁及び後縁のジッタの増加を起こす。さらに、ＬＭＬ情報の簡単な検出には、可能性のある全てのラン長のために単一のスライスレベルを用いることができる。したがって、ＬＭＬ符号化は、アイパターンにおいて全変調をなすそれらのラン長に制限される。
【００２３】
図２は、ディスク状光記録担体２０の記録面２１上にデータ信号１０を記録する本発明による光記録担体記録装置を示している。光記録担体２０は、モータ１１によりその中心を基準にして回転される。放射ビーム１２は、放射源１３により発生され、レンズ１４により記録面２１上に焦点合わせさせられる。
【００２４】
データ信号１０は制御手段１５に供給される。ここでデータ信号１０は、変換ユニット１７により制御信号１６に変換され、制御ユニット１８に供給される。ここで、放射制御信号１９は、放射源１３により発生される放射パワーを制御するよう発生される。
【００２５】
生じるジッタが最小化されるように放射ビームのパワー及びパワーレベルの持続期間及び時間長を制御するため、ジッタ制御ユニット２２は、光記録担体２０に信号を書き込んだ後にジッタを測定するように設けられている。ジッタ制御ユニット２２によるこの測定及び制御は、光記録担体２０への信号の書き込み中、すなわち制御ユニット１８にも供給されるジッタ制御信号２３を発生することにより行われる。
【００２６】
以下、図３ないし図７において示されるような幾つかの例を参照してより詳細に本発明による方法を説明する。これらの図は、ピット、ランド、ＬＭＬビット又はＬＭＬランドを書き込むための幾つかの書込信号を示している。
【００２７】
図３Ａは、記録担体に７Ｔのラン長（これはしばしばＩ７ピットとも呼ばれる）を有する通常ピットを形成するための書込信号３０を示している。先行するランドを形成するため、放射ビームのパワーは、好ましくは読取パワーレベルに一致するボトムパワーレベルＰ０に設定される。その後Ｉ７ピットを書き込むため、この特定実施例においては６．５Ｔに等しい書込パワー照射期間３１において書込パワーレベルＰＷに増大させられる。後続するランドを形成する前に、パワーレベルは、先ずゼロに低下させられ、その後に当該ランドを形成するようボトムパワーレベルＰ０に設定される。
【００２８】
図３Ｂは、７Ｔの同じラン長を有するＩ７のＬＭＬピットを形成するための書込信号３２を示している。このＬＭＬピットを形成するため、パワーレベルは先ず、非常に短い期間３３における前のランドの書込後に書込パワーレベルＰＷへ上昇させられる。その後、パワーレベルは、書込パワー照射期間３１のほぼ半分である第１ピット補正期間３４においてＬＭＬピットパワーレベルＰｐ２へさらに上昇させられる。その後、パワーレベルは、ＬＭＬピットが完成するまで第２ピット補正期間３６においてＬＭＬピット補正パワーレベルＰｐ２へ再び上昇させられる前にＬＭＬピット放射期間３５においてＬＭＬピットパワーレベルＰｐ１へと急激に減少させられる。
【００２９】
図３Ｂから分かるように、ＬＭＬピット補正パワーレベルＰｐ２は、書込パワーレベルＰＷよりも高い。一般的には、ＬＭＬピット補正パワーレベルＰｐ２は、書込パワーレベルＰＷの１．０１倍ないし１．３０倍の範囲内に設定される。図示されるようなＩ７のＬＭＬピットを書き込むための特定の実施例においては、ＬＭＬピット補正パワーレベルＰｐ２は、書込パワーレベルＰＷの１．１倍に設定される。
【００３０】
ＬＭＬピットパワーレベルＰｐ１は、概して書込パワーレベルＰＷの０．０５倍から０．５倍の範囲内に設定される。図３Ｂに示される特定実施例においては、書込パワーレベルＰＷの０．１倍に設定されるのが好ましい。概して、ＬＭＬピットパワーレベルＰｐ１は、ボトムパワーレベルＰ０に近く、好ましくはボトムパワーレベルＰ０より高くされる。
【００３１】
ＬＭＬピット照射期間３５におけるパワーレベルの一時的低下は、書込パルスの端部にシフトされるのが好ましい。当該変調の対称的な低下をなすためには、ＬＭＬピット照射期間３５の位置の適正な位置決めが必要である。この期間３５の期間及びパワーレベルＰｐ１自体は、振幅を十分に小さくすることとクロストークの増加が最も小さくなることとの妥協点を見つけるのに用いることができる。図３Ｂに示される例においては、当該期間は１．２５Ｔの持続期間を有する。
【００３２】
初期期間３３において設定されるパワーレベルは、前のランドの書込後の記録媒体に保たれる熱に適応したものとすることができる。短いランドが形成された後、前のピットの残りの熱は記録担体に存在することになる。その場合、次のピットは、このピットが長いランドの後にある場合に対して減ぜられた初期パワーにより書き込まれるのが良い。この方法は、熱平衡（thermal balancing）と呼ばれている。そしてこのピットの方策は、近接のランドに依存する。このことは図３Ａ及び図３Ｂにも描かれている。当該ピット又はＬＭＬピットの前のランドがそれぞれ短いランド、特にＩ３又はＩ４ランドすなわち３Ｔ又は４Ｔのラン長を有するランドである場合、パワーレベルは、初期期間３３において初期の減ぜられた書込パワーレベルＰＷ３（Ｉ３ランドについて）又はＰＷ４（Ｉ４ランドについて）に設定されるのが良い。
【００３３】
図４Ａ及び図４Ｂは、通常のＩ５ピット及びＩ５のＬＭＬピットを書き込むための他の実施例を示している。図４Ａに示されるようなＩ５ピットを書き込むための書込信号４０は、図３Ａに示されるようなＩ７ピットを書き込むための書込信号３０と、対応する期間３１よりも短い書込パワー照射期間４１の長さを除けば、ほぼ同じになる。図４Ｂに示されるようなＩ５のＬＭＬピットを形成するための書込信号４２も、Ｉ７のＬＭＬピットを形成するための図３Ｂに示されるような書込信号３２と、所定の各パワーレベル及びそれらパワーレベルが設定される期間を除けば、全く同様となる。
【００３４】
初期期間４３において、パワーレベルは、先ず書込パワーレベルＰＷに設定され、或いは前のランドが非常に短い場合には上述したような減ぜられた書込パワーレベルに設定される。その後、第１補正期間４４において、パワーレベルは、好ましくは本実施例では書込パワーレベルＰＷの１．０７倍に設定されるＬＭＬピット補正パワーレベルＰｐ２に設定される。書込パワー照射期間４１の約半部が過ぎると、ＬＭＬピット照射期間４５においてパワーレベルがＬＭＬピットパワーレベルＰｐｌに減ぜられ、このＬＭＬピットパワーレベルＰｐ１は、書込パワーレベルＰＷの０．３５倍に設定されるのが好ましい。その後、当該パワーレベルは、第２ピット補正期間４６において再びＬＭＬピット補正パワーレベルＰｐ２に上げられる。期間４５も、１．２５Ｔの期間を有する。
【００３５】
補正期間４４，４６におけるサイドローブすなわち通常書込パワーの増加（分）の制御は、熱的クロストークを決めるピーク温度を確実にするのに必要である。図４Ｂに示されるようなＩ５のＬＭＬピットの場合、図３Ｂに示されるようなＩ７のＬＭＬピットのために用いられるＬＭＬピット補正パワーレベルＰｐ２は、ピット長の損失を補償するには足りないと考えられる。先ず、パワーレベルは、書込パワーレベルＰＷの１．１倍を超えるパワーレベルが最大要求パワーを増大させるので、大きすぎることになり、先行するピット方向の熱的クロストークも大きすぎると考えられる。したがって、本実施例においては、書込パルスの長さが、ＬＭＬピット増大パワーレベルＰｐ３に減少する間の０．５ＴのＬＭＬピット増加期間４７だけ物理的に大きくされる。かかるＬＭＬピット増加パワーレベルＰｐ3は、概してパワーレベルＰＷの０．５倍から０．９倍の範囲内に設定される。ここで示される特定の実施例においては、書込パワーレベルＰＷの０．９倍に設定される。信号４２のパルス長を大きくすることにより、通常パワーを低下させることができ、近接ピットに対する熱的クロストークを小さくすることとなる。
【００３６】
図５及び図６は、ランド及びＬＭＬランドを書き込むための対応する書込信号を示している。図５Ａは、７Ｔのラン長を有する通常ランドを書き込むための書込信号５０を示している。これにより分かるように、ボトムパワー照射期間５１の始まりにおいて、パワーレベルはゼロに設定され、それから短期間後にボトムパワーレベルＰ０に引き上げられる。図５Ｂには、７Ｔの同じラン長を有するＬＭＬランドを書き込むための書込信号５２が示されている。再び、初期期間５３においてパワーがゼロに設定されるとともに、その後は第１ランド書込期間５４においてボトムパワーレベルＰ０に引き上げられる。そして、ＬＭＬランド照射期間５５においてパワーレベルがＬＭＬランドパワーレベルＰｌ１に引き上げられ、その後に第２ランド書込期間５６においてボトムパワーレベルＰ０に再びパワーレベルが引き下げられる。通常パワーを下げ、近接ピットに対する熱的クロストークを下げるため、ＬＭＬランドパルスのパルス長すなわちボトムパワー照射期間５１は、当該パワーレベルがＬＭＬランド増加パワーレベルＰｌ３に引き上げられる追加のボトムパワー照射期間５７により増大させられる。
【００３７】
一般に、ＬＭＬランドパワーレベルＰｌ１は、書込パワーレベルＰＷの０．７倍から１．３倍の範囲内に設定される。Ｉ７のＬＭＬランドを形成するための特定実施例においては、ＬＭＬランドパワーレベルＰｌ１は書込レベルＰＷの１．１倍に設定される。ＬＭＬランド増加パワーレベルＰｌ３は、概ね書込パワーレベルＰＷの０．０３倍から０．７５倍の範囲内に設定される。図５Ｂに示される実施例においては、書込パワーレベルＰＷの０．５倍に設定されるのが好ましい。期間５５は１．２５Ｔの期間を有する。
【００３８】
図６Ａ及び６Ｂは、Ｉ５ランド及びＩ５のＬＭＬランドを形成するための実施例を示している。ここで示される書込信号６０は、図５Ａに示される書込信号５０と、ボトムパワー照射期間６１を除き同じＩ５ランドを形成するように示されている。図６Ｂは、パワーレベルＰｌ１及びＰｌ３並びに期間６３ないし６７の各期間を除き図５Ｂに示される書込信号５２とも同じ書込信号６２を示している。この実施例において、ＬＭＬランドパワーレベルＰｌ１は書込パワーレベルＰＷの０．９倍に設定され、ＬＭＬランド増加パワーレベルＰｌ３は書込パワーレベルＰＷの０．０３倍に設定される。ここで、期間６５は１Ｔの期間を有する。
【００３９】
図３ないし図６を参照して述べたパラメータは、本発明により、通常のラン長変調とこれに対応するＬＭＬ等価変調との間における許容可能な差異が作られるように書込信号を制御するのに用いられる。ＬＭＬピット及びランドが改変されないピット及びランドよりも３０％低い変調を有する場合、当該ＬＭＬチャネルにおけるビット検出は、依然として極めて粗く、元の主ＲＬＬチャネルは、補償レベルが正しく最適化されていれば何らロスなく検出可能である。さらに、これらパラメータの調整によって、ピット及びランド長さを改変されなかった場合と等しいものとすることができる。最終的に、全体のジッタの最適化すなわちジッタの最小化を達成することができる。
【００４０】
パルス化法は、ＣＤ-Ｒのような記録可能な光学メディアに対して代替可能な書込法となりうるものである。パルス化法は、比較的大なる電力を要するものと知られている。但し、ＬＭＬ作用の変調レベルは、書込パワーの変化に非常に敏感であると考えられ、特に上述したような熱平衡に基づいた方法を用いたときに著しい。パルスを基礎とする方法を用いると、この問題は基本的に克服される。
【００４１】
図７Ａは、かかるＩ６ピットを形成するためのパルス化法に基づいた書込信号７０を示している。書込パワー照射期間７１において、パワーレベルは書込パワーレベルＰＷとボトムパワーレベルＰ０との間で５回切り替えられる。すなわち、書込信号７０は、Ｉ６ピットを形成するための対応する５つの書込信号７３を有している。図７は、Ｉ６のＬＭＬピットを形成する対応の書込信号７２を示している。この信号７２は４つのパルス７４，７５しか有していない。すなわち、図７Ａに示される５つのパルス７３のうちの中央の１つのパルスは省かれている。さらに、これらパルス期間において高レベルに、すなわち第１の２つのパルス７４において第１のＬＭＬピットパワーレベルＰｐ１１に、第２の２つのパルス７５において第２のＬＭＬピットパワーレベルＰｐ１２にパワーレベルが引き上げられる。好ましくは、図７Ｂに示される本実施例において第１ＬＭＬピットパワーレベルＰｐ１１が書込パワーレベルＰＷの１．１倍に設定され、第２ＬＭＬピットパワーレベルＰｐ１２は書込パワーレベルＰＷの１．１５倍に設定される。
【００４２】
以上、本発明を記録可能なＣＤ（ＣＤ-Ｒ）について説明したが、当業者であれば、ＤＶＤ−ＲやＤＶＤ+Ｒ、ＤＶＤ−ＲＡＭなどの再書込可能なＣＤ又はＤＶＤの如き他の記録可能又は再書込可能な光記録メディアにも本発明を適用することができることは明らかである。また、本発明は、ある決められたコード又は所定のラン長制限の基礎となるコードにも限定されない。さらに、本発明は、図に示したようなラン長を有するピット又はランドにのみ適用可能なものでなはく、広く他の全てのラン長に対しても適用可能である。
【図面の簡単な説明】
【００４３】
【図１】マルチレベルコーディングを示す図。
【図２】本発明による記録装置の一実施例を示す図。
【図３Ａ】Ｉ７ピットの書き込みを示す第１の図。
【図３Ｂ】Ｉ７ピットの書き込みを示す第２の図。
【図４Ａ】Ｉ５ピットの書き込みを示す第１の図。
【図４Ｂ】Ｉ５ピットの書き込みを示す第２の図。
【図５Ａ】Ｉ７ランドの書き込みを示す第１の図。
【図５Ｂ】Ｉ７ランドの書き込みを示す第２の図。
【図６Ａ】Ｉ５ランドの書き込みを示す第１の図。
【図６Ｂ】Ｉ５ランドの書き込みを示す第２の図。
【図７Ａ】パルス化方法を用いたＩ６ピットの書き込みを示す第１の図。
【図７Ｂ】パルス化方法を用いたＩ６ピットの書き込みを示す第２の図。
【図１】
2005501360.tif 000003
【図２】
2005501360.tif 000004
【図３Ａ】
2005501360.tif 000005
【図３Ｂ】
2005501360.tif 000006
【図４Ａ】
2005501360.tif 000007
【図４Ｂ】
2005501360.tif 000008
【図５Ａ】
2005501360.tif 000009
【図５Ｂ】
2005501360.tif 000010
【図６Ａ】
2005501360.tif 000011
【図６Ｂ】
2005501360.tif 000012
【図７Ａ】
2005501360.tif 000013
【図７Ｂ】
2005501360.tif 000014
【国際公開パンフレット】
2005501360.tif 000015
2005501360.tif 000016
2005501360.tif 000017
2005501360.tif 000018
2005501360.tif 000019
2005501360.tif 000020
2005501360.tif 000021
2005501360.tif 000022
2005501360.tif 000023
2005501360.tif 000024
2005501360.tif 000025
2005501360.tif 000026
2005501360.tif 000027
2005501360.tif 000028
2005501360.tif 000029
2005501360.tif 000030
2005501360.tif 000031
2005501360.tif 000032
2005501360.tif 000033
2005501360.tif 000034
【国際調査報告】
2005501360.tif 000035
2005501360.tif 000036
2005501360.tif 000037